(57)【特許請求の範囲】
【請求項１】
モニタ画面を有するテレビと、
映画、放送番組、或いは映像作品又はこれらに類する映像コンテンツであって、前記テレビを使用するテレビユーザのみ視聴可能な第１映像コンテンツを複数まとめて、一のコンテンツパッケージとして記録保管すると共に、当該コンテンツパッケージに含まれる所定の第１映像コンテンツを前記テレビとの双方向通信によって当該テレビへ配信可能に形成されたローカルサーバと、
少なくとも１台の前記テレビと少なくとも１台の前記ローカルサーバを有するローカルエリアネットワーク（以下「ＬＡＮ」という）とからなり、
前記ローカルサーバは、
前記コンテンツパッケージに含まれている前記第１映像コンテンツに係る第１リストを作成し、当該第１リストを前記テレビへ配信するリスト配信手段を有し、
前記テレビは、
前記リスト配信手段で配信された前記第１リストを所定の形式で前記モニタ画面へ表示するリスト表示手段と、
前記テレビユーザによって前記テレビを操作するための指示が入力される入力手段とを有し、
当該入力手段で、前記第１リストのうち、前記テレビユーザが視聴を所望する所定の前記第１映像コンテンツが選択されたとき、
前記テレビは、前記ローカルサーバへ所定の前記第１映像コンテンツに係る配信要求を送信し、
前記ローカルサーバは、当該配信要求に応答して、前記テレビへ所定の前記第１映像コンテンツを配信し、
前記テレビは、配信された所定の前記第１映像コンテンツを再生表示するようにしたテレビ視聴システムであって、
当該テレビ視聴システムに、インターネットを介して前記ローカルサーバと接続される動画共有サーバを設け、
当該動画共有サーバは、前記映像コンテンツのうち、不特定多数のユーザが視聴可能な第２映像コンテンツを複数記録保管すると共に、
当該第２映像コンテンツに係る第２リストを、不特定多数のユーザがアクセス可能な動画共有ウェブサイトにアップロードする第２リスト登録手段を有し、
前記ローカルサーバに、前記第２リスト登録手段で前記動画共有ウェブサイトにアップロードされた前記第２リストをダウンロードして、当該ローカルサーバ内に当該第２リストを取り込む第２リスト取得手段と、
当該第２リスト取得手段でダウンロードした前記第２リストを修正する第２リスト修正手段とを設け、
前記動画共有サーバに記録保管されている前記第２映像コンテンツに紐付けされた情報を参照して、前記ローカルサーバ側で予め定められたキーワードにしたがって、前記第２リスト取得手段で取り込んだ前記第２リストに係る前記第２映像コンテンツを振り分け、当該第２映像コンテンツに係るローカルリストを作成し、
当該ローカルリストを前記リスト配信手段で前記テレビへ配信し、
配信された前記ローカルリスト又は前記第１リストを、前記リスト表示手段で、前記第１リスト又は前記ローカルリストとそれぞれリンクしたアイコンを並べて前記モニタ画面へ表示して、
前記入力手段で、前記ローカルリストのうち、前記テレビユーザが視聴を所望する所定の前記第２映像コンテンツが選択されたとき、
前記テレビは、前記ローカルサーバ及び前記インターネットを介して、前記動画共有サーバへ所定の前記第２映像コンテンツに係る配信要求を送信し、
前記動画共有サーバは、当該配信要求に応答して、前記テレビへ所定の前記第２映像コンテンツを配信し、
前記テレビは、配信された所定の前記第２映像コンテンツを再生表示するようにして、
前記テレビの前記モニタ画面上に、前記第１リストと前記ローカルリストに係るアイコンを並べて表示すると共に、
前記入力手段における前記第１映像コンテンツの再生表示に係る入力操作と、前記第２映像コンテンツの再生表示に係る入力操作とを同一の操作で行うようにしたことを特徴とするテレビ視聴システム。
【請求項２】
少なくとも１台の前記ローカルサーバと、専用通信回線又はインターネットを用いた仮想プライベートネットワーク（以下「ＶＰＮ」という）を介して接続される映像サーバを設け、
当該映像サーバは、前記コンテンツパッケージを複数記録保管すると共に、当該コンテンツパッケージのうち、所定の前記コンテンツパッケージを前記ローカルサーバへ定期的に配信するようにしたことを特徴とする請求項１に記載のテレビ視聴システム。
【請求項３】
前記ローカルサーバに、前記テレビユーザによる前記映像コンテンツの視聴を制限する視聴制限を課する視聴制限手段と、
前記テレビユーザが所定の条件を満たしているときに前記視聴制限を解除する認証手段とを設け、
当該認証手段で、前記映像コンテンツのうち、第１映像コンテンツの視聴制限が解除されたとき、
前記第２映像コンテンツの視聴制限もまた解除され、
前記入力手段を介して、前記認証手段の前記第２映像コンテンツに係る視聴制限を解除する入力操作を省略可能にしたことを特徴とする請求項１に記載のテレビ視聴システム。
【発明の詳細な説明】
【技術分野】
【０００１】
本発明は、ローカルエリアネットワークを利用し、サーバとテレビとの間で双方向通信可能に形成したテレビ視聴システムに関する。
【背景技術】
【０００２】
従来、ホテル、旅館或いは病院、湯治施設といった滞在型施設は、各部屋に備え付けられているテレビで、通常の放送番組とは別に映画を視聴することができるようにしたテレビ視聴システムを有している。
当該テレビ視聴システムは、近年、ローカルエリアネットワーク（以下「ＬＡＮ」という）を有し、当該ＬＡＮは、フロントや管理室に設置されて映画が記録保存されるサーバと、各部屋に設置された端末装置とを有している。当該端末装置は、テレビ自体、又はテレビ近傍に備え付けられ、テレビと接続されたセットトップボックスからなる。テレビ視聴システムは、ＬＡＮを介して、サーバとテレビ間で双方向通信を行うことによって、サーバからテレビへ映画を配信するビデオ・オン・デマンドサービスが行われている。
【０００３】
また、近年、通信技術の発達、及びノートパソコン又はタブレット型携帯端末の普及に伴って、当該タブレット型携帯端末等で、インターネット上の動画共有サーバへアクセスして、当該動画共有サーバに記録保存された動画を閲覧することが行われている。
【０００４】
そして、上記のＬＡＮを有する滞在型施設では、サーバを介してインターネットへ接続可能に形成することにより、上記のビデオ・オン・デマンドサービスに加えて、滞在客が持ち込んだ、若しくは施設が貸し出したタブレット型携帯端末等によるインターネット接続サービスが行われている。
【先行技術文献】
【特許文献】
【０００５】
【特許文献１】引用なし
【発明の概要】
【発明が解決しようとする課題】
【０００６】
ここで、上記の滞在型施設における従来のビデオ・オン・デマンドサービスで配信される映画は、字幕版又は吹き替え版が主流である。しかしながら、近年外国人旅行客の増加にともなって、ホテル・旅館で配信される映画又は放送番組については、当該外国人旅行客の母国語で提供される必要が生じつつある。しかしながら従来のビデオ・オン・デマンドサービスで日本語の字幕版でも吹き替え版でもない各国の言語に対応した映画を配信することは負担が大きい。一方、動画共有サーバに記録保管される映画等の映像コンテンツは、世界各国の不特定多数のユーザがアップロードしているものであるため、いずれの言語であっても容易に対応することができる。
そのため、宿泊客、主に外国人旅行客が、宿泊中に映画等を視聴するために、テレビとは別に、ノートパソコンの貸し出したり、タブレット型携帯端末を部屋に設置したりして、宿泊客等にインターネット接続サービスと共に動画閲覧サービスを提供している。
しかしながら、ノートパソコンの貸し出しや備品として部屋に設置されたタブレット型携帯端末は盗難の被害にあうおそれが非常に高い。
また、タブレット型携帯端末を使って動画を閲覧する場合、画面が小さく、さらに手に持ったまま観なければならず、寝転んだりしてリラックスした状態では使い勝手が悪い。
【０００７】
したがって、本発明が解決しようとする課題は、部屋に設置されているテレビをインターネット上の動画共有サーバへアクセス可能にすると共に、従来のビデオ・オン・デマンドサービスと入力操作を同一にして使い勝手を良くしたテレビ視聴システムを提供することである。
【課題を解決するための手段】
【０００８】
請求項１に記載のテレビ視聴システムは、モニタ画面を有するテレビと、
映画、放送番組、或いは映像作品又はこれらに類する映像コンテンツであって、前記テレビを使用するテレビユーザのみ視聴可能な第１映像コンテンツを複数まとめて、一のコンテンツパッケージとして記録保管すると共に、当該コンテンツパッケージに含まれる所定の第１映像コンテンツを前記テレビとの双方向通信によって当該テレビへ配信可能に形成されたローカルサーバと、
少なくとも１台の前記テレビと少なくとも１台の前記ローカルサーバを有するローカルエリアネットワーク（以下「ＬＡＮ」という）とからなり、
前記ローカルサーバは、
前記コンテンツパッケージに含まれている前記第１映像コンテンツに係る第１リストを作成し、当該第１リストを前記テレビへ配信するリスト配信手段を有し、
前記テレビは、
前記リスト配信手段で配信された前記第１リストを所定の形式で前記モニタ画面へ表示するリスト表示手段と、
前記テレビユーザによって前記テレビを操作するための指示が入力される入力手段とを有し、
当該入力手段で、前記第１リストのうち、前記テレビユーザが視聴を所望する所定の前記第１映像コンテンツが選択されたとき、
前記テレビは、前記ローカルサーバへ所定の前記第１映像コンテンツに係る配信要求を送信し、
前記ローカルサーバは、当該配信要求に応答して、前記テレビへ所定の前記第１映像コンテンツを配信し、
前記テレビは、配信された所定の前記第１映像コンテンツを再生表示するようにしたテレビ視聴システムであって、
当該テレビ視聴システムに、インターネットを介して前記ローカルサーバと接続される動画共有サーバを設け、
当該動画共有サーバは、前記映像コンテンツのうち、不特定多数のユーザが視聴可能な第２映像コンテンツを複数記録保管すると共に、
当該第２映像コンテンツに係る第２リストを、不特定多数のユーザがアクセス可能な動画共有ウェブサイトにアップロードする第２リスト登録手段を有し、
前記ローカルサーバに、前記第２リスト登録手段で前記動画共有ウェブサイトにアップロードされた前記第２リストをダウンロードして、当該ローカルサーバ内に当該第２リストを取り込む第２リスト取得手段と、
当該第２リスト取得手段でダウンロードした前記第２リストを修正する第２リスト修正手段とを設け、
前記動画共有サーバに記録保管されている前記第２映像コンテンツに紐付けされた情報を参照して、前記ローカルサーバ側で予め定められたキーワードにしたがって、前記第２リスト取得手段で取り込んだ前記第２リストに係る前記第２映像コンテンツを振り分け、当該第２映像コンテンツに係るローカルリストを作成し、
当該ローカルリストを前記リスト配信手段で前記テレビへ配信し、
配信された前記ローカルリスト又は前記第１リストを、前記リスト表示手段で、前記第１リスト又は前記ローカルリストとそれぞれリンクしたアイコンを並べて前記モニタ画面へ表示して、
前記入力手段で、前記ローカルリストのうち、前記テレビユーザが視聴を所望する所定の前記第２映像コンテンツが選択されたとき、
前記テレビは、前記ローカルサーバ及び前記インターネットを介して、前記動画共有サーバへ所定の前記第２映像コンテンツに係る配信要求を送信し、
前記動画共有サーバは、当該配信要求に応答して、前記テレビへ所定の前記第２映像コンテンツを配信し、
前記テレビは、配信された所定の前記第２映像コンテンツを再生表示するようにして、
前記テレビの前記モニタ画面上に、前記第１リストと前記ローカルリストに係るアイコンを並べて表示すると共に、
前記入力手段における前記第１映像コンテンツの再生表示に係る入力操作と、前記第２映像コンテンツの再生表示に係る入力操作とを同一の操作で行うようにしたことを特徴とする。
【０００９】
請求項２に記載のテレビ視聴システムは、請求項１に記載の発明において、少なくとも１台の前記ローカルサーバと、専用通信回線又はインターネットを用いた仮想プライベートネットワーク（以下「ＶＰＮ」という）を介して接続される映像サーバを設け、
当該映像サーバは、前記コンテンツパッケージを複数記録保管すると共に、当該コンテンツパッケージのうち、所定の前記コンテンツパッケージを前記ローカルサーバへ定期的に配信するようにしたことを特徴とする。
【００１０】
請求項３に記載のテレビ視聴システムは、請求項１に記載の発明において、前記ローカルサーバに、前記テレビユーザによる前記映像コンテンツの視聴を制限する視聴制限を課する視聴制限手段と、
前記テレビユーザが所定の条件を満たしているときに前記視聴制限を解除する認証手段とを設け、
当該認証手段で、前記映像コンテンツのうち、第１映像コンテンツの視聴制限が解除されたとき、
前記第２映像コンテンツの視聴制限もまた解除され、
前記入力手段を介して、前記認証手段の前記第２映像コンテンツに係る視聴制限を解除する入力操作を省略可能にしたことを特徴とする請求項１に記載のテレビ視聴システム。
【発明の効果】
【００１１】
本発明のテレビ視聴システムによれば、動画共有サーバからダウンロードした第２映像コンテンツに係る第２リストを、ローカルサーバ内で予め定めたキーワードにしたがって修正してローカルリストを作成し、ローカルサーバ内に記録保管されている第１映像コンテンツに係る第１リストとリンクするアイコンと、ローカルリストとリンクするアイコンを並べてモニタ画面に表示するようにした。そして、第１リストから再生表示を所望する第１映像コンテンツを選択して再生する一連の再生操作と同様に、第２リストから第２映像コンテンツを選んで再生できるようにした。
これによって、従来のビデオ・オン・デマンドサービスと同様の操作で、動画共有サーバにアクセスして第２映像コンテンツを再生表示することができるので、使い勝手を良くすることができる。また、ローカルリストを形成することによって、大量の第２映像コンテンツがアップロードされる動画共有サーバに対して、所定のグループごとに第２映像コンテンツをまとめることができ、第１映像コンテンツに係る第１リストに似せてモニタ画面上に表示させることができるので、使い勝手を良くすることができる。
【００１２】
また、好ましくは、ローカルサーバを専用回線又はインターネットを用いたＶＰＮで映像サーバと接続して、第１映像コンテンツを含むコンテンツパッケージを定期的に更新するようにしても良い。これにより、動画共有サーバ上で頻繁に更新される第２映像コンテンツに遜色せず、ローカルサーバ内の第１映像コンテンツの拡充を図ることができ、使い勝手を良くすることができる。
さらに、好ましくは、ローカルサーバに第１映像コンテンツ及び第２映像コンテンツを含む映像コンテンツに視聴制限を課す視聴制限手段と、当該視聴制限を解除するための認証手段を設けても良い。ここで、動画共有サーバ又はテレビ側ではなく、テレビと動画共有サーバの中継点であり、第１映像コンテンツの配信元であるローカルサーバで集中的に視聴制限を課し、また解除するようにした。これにより、ＬＡＮに接続されているテレビが複数台ある場合には、任意のテレビに対して視聴制限を課したり、また解除することが容易にできるので、使い勝手を良くすることができる。
【図面の簡単な説明】
【００１３】
【図１】本実施例に係るテレビ視聴システムの構成の概略を示すブロック図である。
【図２】本実施例に係るテレビ視聴システムの一部の構成の概略を示すブロック図である。
【図３】本実施例に係るテレビ視聴システムのテレビのモニタ画面に表示されるメニュー画面を示す説明図である。
【図４】本実施例に係るテレビ視聴システムのテレビのモニタ画面に表示される第１インデックス画面を示す説明図である。
【図５】本実施例に係るテレビ視聴システムのテレビのモニタ画面に表示される書誌情報画面を示す説明図である。
【図６】本実施例に係るテレビ視聴システムの認証手段を示すフローチャート図である。
【図７】本実施例に係るテレビ視聴システムのテレビのモニタ画面に表示される第２インデックス画面を示す説明図である。
【図８】本実施例に係るテレビ視聴システムのテレビのモニタ画面に表示される第２映像コンテンツの再生画面を示す説明図である。
【図９】本実施例に係るテレビ用リモコンの構成の概略を示す斜視図である。
【図１０】本実施例に係るテレビ用リモコンの構成の概略を示す斜視図である。
【図１１】本実施例に係るテレビ用リモコンの構成の概略を示す斜視図である。
【図１２】本実施例に係るテレビ用リモコンの構成の概略を示す斜視図である。
【実施例１】
【００１４】
本発明に係るテレビ視聴システムの実施例を、添付した図面にしたがって説明する。
図１は、本実施例に係るテレビ視聴システムの構成の概略を示したシステム図である。図２は、本実施例に係るテレビ視聴システムの構成の概略を示したブロック図である。
【００１５】
テレビ視聴システム１０は、テレビ１１とローカルサーバ１２を有するローカルエリアネットワーク１３（以下「ＬＡＮ」という）を有している。当該ＬＡＮ１３は、ホテル・旅館、病院又はこれらに類する滞在型施設に設けられている。なお、そのような滞在型施設に限定されることなく、たとえば、学校や家庭といったようにＬＡＮを構築できる環境であれば良い。
【００１６】
テレビ１１は、モニタ画面１１ａを有し、映画、放送番組或いは映像作品又はこれらに類する映像コンテンツを当該モニタ画面１１ａで再生表示可能に形成されている。
ローカルサーバ１２は、上記映像コンテンツのうち、テレビ１１を使用するテレビユーザのみ視聴可能な第１映像コンテンツを記録保管可能に形成されている。ローカルサーバ１２内に記録保管されている第１映像コンテンツは、たとえば、「新作映画」、「ロングヒット映画」、「アダルト」といったような所定のジャンルごとに複数まとめられて一のコンテンツパッケージを形成している。
そして、テレビ１１とローカルサーバ１２間は、ＬＡＮ１３を介して双方向通信可能に形成されている。これにより、コンテンツパッケージに含まれている所定の第１映像コンテンツについてテレビ１１から配信要求があったとき、ローカルサーバ１２は当該配信要求に応答して当該所定の第１映像コンテンツを、配信要求を出したテレビ１１に対し、ＬＡＮ１３を介して配信することができる。このようなローカルサーバ１２からテレビ１１に対して第１映像コンテンツを配信することを、ビデオ・オン・デマンドサービス（以下「ＶＯＤサービス」という）という。
【００１７】
ローカルサーバ１２は、図１に示すように、専用通信回線１５又はインターネット１６を用いた仮想プライベートネットワーク（以下「ＶＰＮ」という）を介して、映像サーバ１４に接続されている。
映像サーバ１４は、映像記録媒体１４ａを有し、第１映像コンテンツに係るコンテンツパッケージを複数記録保管するように形成されている。専用通信回線１５は、たとえば、衛星通信回線からなり、少なくとも１台の映像サーバ１４と少なくとも１台、好ましくは二台以上のローカルサーバ１２が通信可能に接続されている。なお、専用通信回線１５は有線通信回線であっても良い。
ＶＰＮは、インターネット１６を利用した少なくとも１台の映像サーバ１４と少なくとも１台、好ましくは二台以上のローカルサーバ１２からなる仮想的なネットワークである。インターネット１６上を流れるコンテンツパッケージに係るデータは、映像サーバ１４内に設けたエンコーダ（図示略）で暗号化されて高い機密性を保持したままローカルサーバ１２へ送信される。送信されたデータはローカルサーバ１２内に設けたデコーダ（図示略）で復号化されるように形成されている。
映像サーバ１４は、複数のコンテンツパッケージのうち、所定のコンテンツパッケージをローカルサーバ１２へ定期的に配信するように形成されている。当該定期配信は、たとえば、一月に一回、一週間に一回、一日に一回といったような頻度であったり、また数時間毎に更新したりと、映像サーバ１４側の配信設定、或いはローカルサーバ１２側の受信設定によって任意に定めることができるように形成されている。
【００１８】
さらに、ローカルサーバ１２は、図１に示すように、インターネット１６を介して動画共有サーバ１７に接続されている。
動画共有サーバ１７は、図２に示すように動画記録媒体１７ａを有し、不特定多数の一般ユーザが視聴可能な第２映像コンテンツを複数記録保管している。また、動画共有サーバ１７に記録保管される第２映像コンテンツは、一般ユーザが当該動画共有サーバ１７へアップロードしたものである。動画共有サーバ１７は、たとえば、Ｙｏｕ  Ｔｕｂｅ（登録商標）によるサービスが広く知られている。
そして、動画共有サーバ１７は、動画共有ウェブサイト１７ｂを有している。当該動画共有ウェブサイト１７ｂは、一般ユーザが自由に閲覧することができるように形成されているので、当該動画共有ウェブサイト１７ｂにアクセスした一般ユーザは、動画共有サーバ１７に記録保管されている第２映像コンテンツを視聴することができる。また、一般ユーザが第２映像コンテンツの視聴を所望するとき、動画共有ウェブサイト１７ｂ上で第２映像コンテンツに係る第２リストを検索し、その結果表示された所定の第２映像コンテンツを選択して視聴することが一般的である。
【００１９】
動画共有サーバ１７は、図２に示すように、第２映像コンテンツに係る第２リストを作成して動画共有ウェブサイト１７ｂへ登録する第２リスト登録手段３０を有している。
当該第２リスト登録手段３０は、第２映像コンテンツに係る第２リストを動画共有ウェブサイト１７ｂにアップロードして登録するように形成されている。当該第２リストは、動画共有サーバ１７で第２映像コンテンツに含まれるキーワードや、当該第２映像コンテンツにタグ付けされたキーワードをにしたがって自動的に分類され形成される。第２映像コンテンツにタグ付けされる当該キーワードは、不特定多数のユーザが第２映像コンテンツを動画共有サーバ１７へアップロードする際に入力した情報であっても良いし、第２映像コンテンツから自動的に抽出するものであっても良い。
このように、登録された当該第２リストを動画共有ウェブサイト１７ｂへ表示することによって、不特定多数のユーザは、視聴を所望する第２映像コンテンツを検索し視聴することができる。
続いて、テレビ視聴システム１０が有するローカルサーバ１２及びテレビ１１について添付した図面にしたがって、それぞれ説明する。
【００２０】
ローカルサーバ１２は、図２に示すように、配信された第１映像コンテンツに係るコンテンツパッケージを記録保管するコンテンツ記録媒体１２ａと、第１映像コンテンツに係る第１リスト及び第２映像コンテンツに係る第２リストをテレビ１１へ配信するリスト配信手段２０を有している。第２リストの配信については後述する。
当該リスト配信手段２０は、コンテンツパッケージに含まれている第１映像コンテンツに係る第１リストを作成するように形成されている。そして、作成した第１リストは、ＬＡＮ１３を介して各テレビ１１へそれぞれ配信するように形成されている。また、コンテンツパッケージ内の第１リストは、所定のジャンルごとに分類されており、図４に示す画面の前に、当該ジャンルを表示した画面をモニタ画面１１ａへ表示してテレビユーザに選択させるようにしても良いし、ローカルサーバ１２側で予め設定した特定のジャンルへ直接リンクさせるようにしてもよい。
そして、第１リストは、図４に示すように、たとえば、第１映像コンテンツのタイトルと、画像又は所定の場面を抜き出したサムネイル映像を有している。また好ましくは、タイトルに紐付けして、当該第１コンテンツを選択したとき、たとえば、図５に示すように、映画の主演や監督、上映時間、あらすじといった第１映像コンテンツに係る情報が閲覧できるようにしても良い。当該情報は、予め第１映像コンテンツの供給元で第１映像コンテンツに紐付けしたものであっても良いし、また、ローカルサーバ１２で入力するようにしても良い。
【００２１】
一方、ローカルサーバ１２は、動画共有ウェブサイト１７ｂにアップロードされた第２リストを取得する第２リスト取得手段２１と、取得した第２リストを所定の形式にしたがって修正する第２リスト修正手段２２を有している。
第２リスト取得手段２１は、動画共有サーバ１７にアクセスして、動画共有ウェブサイト１７ｂから第２リストをダウンロードするように形成されている。ローカルサーバ１２へダウンロードされた第２リストは、第１映像コンテンツに係る第１リストに準じた形式で表示可能に調整するため、第２リスト修正手段２２へ送られる。なお、ダウンロードしたオリジナルの第２リストを表示させるようにしても良い。
第２リスト修正手段２２は、予め所定のキーワードが登録されている。第２リスト修正手段２２は、登録されたキーワードと、第２映像コンテンツにタグ付けされている情報、たとえば、タイトル、分野、映像の特徴とを照会して、第２リストに係る第２映像コンテンツを、たとえば「新作映画」、「映画宣伝動画」、「おもしろ動画」、「音楽」、「アダルト」といったように、所定のグループごとに振り分け、ローカルリストを作成するように形成されている。ローカルリストには、第２映像コンテンツに紐付けされた情報、たとえば、タイトルやあらすじ、好ましくはサムネイル用の画像や映像が含まれている。作成されたローカルリストは、リスト配信手段２０でテレビ１１へ配信される。ローカルリストは、階層的に分類形成され、まず、所定のグループ又はジャンルごとに大別された第１層、ジャンル内の所定のキーワードごとに分類された第２層、さいごに、所定の第２映像コンテンツが含まれている第３層といったように形成されている。なお当該層構造は三層構造に限定されず、細別しても良いし、所定のグループへダイレクトにリンクするようにしても良い。
動画共有ウェブサイト１７ｂに表示されている第２リストをそのままの形ではなく、第１リストにあわせて修正すると共に、独自のキーワードで振り分けてローカルリストを作成するようにしたことによって、ローカルサーバ１２とテレビ１１からなるローカルなテレビ視聴システム上において、閲覧可能にする映像コンテンツと視聴制限をかける映像コンテンツを容易に選別することができ、また「おすすめ」の映像コンテンツをリストのトップに表示させて閲覧へ容易に誘導することができる。
【００２２】
テレビ１１は、第１リストと第２リストをモニタ画面１１ａへ表示するリスト表示手段２５と、テレビユーザがテレビ１１を操作するための指示を入力する入力手段２６を有している。当該入力手段２６は、テレビ１１を遠隔操作するためのリモコン５０を有している。当該リモコンについては、後述する。
【００２３】
リスト表示手段２５は、ローカルサーバ１２のリスト配信手段２０によって配信された第１リスト、及びローカルリストを、図３に示すように、所定の形式でモニタ画面１１ａへ表示するように形成されている。
図３は、テレビ１１で視聴できるサービスがアイコンで表示されたメニュー画面である。
当該アイコンは、自由アイコン６０、制限アイコン６１、動画共有アイコン６２、ゲームアイコン６３、ニュースアイコン６４からなる。
制限アイコン６１は、所定の条件を満たしていないテレビユーザの視聴を制限する視聴制限がかけられた第１映像コンテンツに係る第１リストとリンクしている。また、自由アイコン６０は、当該視聴制限がかけられていない第１映像コンテンツに係る第１リストとリンクしている。
自由アイコン６０又は制限アイコン６１のいずれかを選択しても、モニタ画面１１ａは第１リストに表示が切り替わるが、制限アイコン６１を選択した場合には、認証画面に切り替わったのちに、視聴制限がかけられた第１映像コンテンツのみからなる第１リストの表示に切り替わる。一方、自由アイコン６０を選択した場合、モニタ画面１１ａの表示は、視聴制限がかけられていない第１映像コンテンツに係る第１リストの表示に切り替わるように形成されている。認証画面に係る認証手段については、後述する。
動画共有アイコン６２は、第２映像コンテンツに係るローカルリストとリンクしている。
ゲームアイコン６３は、ローカルサーバ１２内又はテレビ１１にインストールされ、当該テレビ１１でプレイ可能なゲームとリンクしている。
ニュースアイコン６４は、ローカルサーバ１２を介してインターネット１６上のニュース等の情報提供サービスとリンクしている。
このように、一画面内にアイコンを表示するようにしたことによって、ローカルサーバ１２内に記録保管されている第１映像コンテンツに係る選択表示操作と、インターネット１６を介して配信を受ける第２映像コンテンツに係る選択表示操作を同じ操作でそれぞれ選択することができる。そのため、テレビユーザは、複雑な操作を経ることなく、同一の操作で第１映像コンテンツ又は第２映像コンテンツのいずれかを視聴することができるので、テレビ視聴システム１０におけるテレビの使い勝手を良くすることができる。
【００２４】
図３に示した自由アイコン６０を選択したとき、モニタ画面１１ａは、図４に示すように、第１リストに係る第１映像コンテンツを並べて表示した第１インデックス画面に切り替わる。なお、当該第１インデックス画面に切り替える前に、たとえば、「新作映画」、「旧作映画」、「おすすめ映画」といったようなジャンルごとに大別した画面を表示させるようにしても良い。
図４は、ローカルサーバ１２に記録保管されている第１映像コンテンツのうち、視聴制限がかけられていない第１映像コンテンツに係る第１リストを表示したものである。
図４に示す第１リストは、当該第１リストに含まれている第１映像コンテンツについて、たとえば映画の宣伝に使われた写真若しくはＤＶＤケースに表示されたパッケージ写真６０ａからなる。なお好ましくは、第１映像コンテンツのタイトルと、特に画像又は所定の場面を抜き出したサムネイル映像からなるオリジナルのパッケージ写真を表示するようにしても良い。
そして、第１リストに含まれている第１映像コンテンツのうち１乃至３のサムネイル画像とタイトルがモニタ画面１１ａの中央部に表示されるように形成されている。そして、入力手段２６によって、第１リストを右方向又は左方向にスクロールさせることによって、第１リストを閲覧することができる。
【００２５】
図４に示した第１映像コンテンツのうち、一の第１映像コンテンツを入力手段によって選択して決定すると、モニタ画面１１ａは、図５に示すように、一の第１映像コンテンツに係る書誌情報画面に切り替わる。
図５は、図４に表示した第１映像コンテンツのうち、一の第１映像コンテンツに係る書誌情報を表示する画面を表したものである。
当該書誌情報は、たとえば、タイトル６０ｂ、映画の主演・監督６０ｃ、あらすじ６０ｄの他、図４と同様にパッケージ写真６０ａを表示させても良い。
テレビユーザがこの一の第１映像コンテンツの視聴を所望する場合には、再生ボタンを選択して決定すると、当該第１映像コンテンツの再生表示が始まる。また、違う第１映像コンテンツを選択したい場合には、「戻る」ボタンを選択して決定すると、図４のインデックス画面に切り替わり、他の第１映像コンテンツを選択することができる。
【００２６】
図３乃至図５に示したように、テレビユーザが自由アイコン６０を選択して、視聴を所望する第１映像コンテンツを選択して決定すると、テレビ１１は、ローカルサーバ１２に対して指定された第１映像コンテンツに係る配信要求を送信する。
ローカルサーバ１２は、当該配信要求に応答して、指定された第１映像コンテンツを配信要求を出したテレビ１１に対して送信する。このとき、第１映像コンテンツを再生表示する方法は、ローカルサーバ１２からテレビ１１へ当該第１映像コンテンツに係るデータファイルをダウンロードしながら、当該データファイル全体の受信完了を待たずに再生するダウンロード再生であっても良いし、テレビ１１が、ローカルサーバ１２からの第１映像コンテンツに係るデータを受信しながら、同時に再生するストリーミング再生であっても良い。
これにより、テレビユーザは、ローカルサーバ１２内に記録保管されているコンテンツパッケージに含まれている任意の第１映像コンテンツを視聴することができる。
【００２７】
図３に示した制限アイコン６１を選択したとき、モニタ画面１１ａは認証画面（図示略）に切り替わる。
テレビ１１を使用しているテレビユーザが所定の条件を満たしていない場合に、所定の映像コンテンツの視聴を制限し、テレビユーザが所定の条件を満たしている場合に、所定の映像コンテンツの視聴制限を解除する視聴制限方法は、テレビ１１とローカルサーバ１２間の双方向通信機能を用いて行われ、ローカルサーバ１２は、視聴制限手段２３と認証手段２４を有し、当該視聴制限手段２３と認証手段２４は、テレビ１１の入力手段２６から操作されるように形成されている。
視聴制限手段２３は、記録保管する第１映像コンテンツのうち、所定の条件を満たしていないテレビユーザに対する視聴を制限するため、所定の第１映像コンテンツについて暗号化するように形成されている。ここで、視聴制限手段については、たとえば、衛星放送に係るスクランブル放送、或いは従来のホテルにおける有線放送で用いられている周知の視聴制限手段であれば良いので、説明を省略する。
認証手段２４は、図６に示すように、当該テレビユーザが所定の条件を見たしている場合に、暗号化された第１映像コンテンツを復号して視聴制限を解除するように形成されている。図６は認証手段が視聴制限を解除する処理の概略を示すフローチャートである。
【００２８】
図６に示すステップ１００は、制限アイコン６１を押したときに認証手段をスタートさせる処理を行うステップである。認証手段がスタートしたとき、ステップ１０５に移行する。
ステップ１０５は、所定の条件に係る認証画面をモニタ画面１１ａ上に表示する処理を行うステップである。本実施例における所定の条件は、テレビユーザが１８歳以上である場合には成人指定の映像コンテンツを視聴することができ、１８歳未満である場合には当該成人指定映像コンテンツの視聴を制限するものである。条件が表示された後は、ステップ１１０へ移行する。
【００２９】
ステップ１１０は、テレビユーザが１８歳以上であるか問う処理を行うステップである。１８歳以上である場合にはテレビユーザが認証画面上の「１８歳以上である」の欄を入力手段２６によって決定することによってステップ１１５へ移行する。
一方、テレビユーザが１８歳未満であって「１８歳未満である」の欄を入力手段２６で決定入力すると、ステップ１３０へ移行して図３に示したメニュー画面へ遷移する処理が行われる。これによって、テレビユーザが１８歳未満の場合には、認証画面から先に進めないようにすることができる。
ステップ１１５は、ローカルサーバ１２が暗号化された第１映像コンテンツを復号して、第１映像コンテンツにかけられていた視聴制限を解除する処理を行うステップである。第１映像コンテンツを復号化した後は、ステップ１２０へ移行する。
【００３０】
ステップ１２０は、復号化された第１映像コンテンツに係る第１リストをモニタ画面１１ａへ表示する処理を行うステップである。これによって、テレビユーザは、成人指定された第１映像コンテンツを選択して視聴することができる。当該成人指定された第１映像コンテンツの視聴については、上記した自由アイコン６０を押したときの第１映像コンテンツの視聴方法と同様であるから説明を省略する。
視聴が終了すると、ステップ１２５へ移行し、ステップ１２５では成人指定の第１映像コンテンツを暗号化して再び視聴制限をかける処理が行われる。これによって、認証手段２４による視聴制限解除に係る処理は終了する。ステップ１２５へ移行させるタイミングは、本実施例においては一日単位に設定されているが、これに限定されるものでは無く、数時間単位や一晩単位といった時間によるものであっても良いし、映画一本ごとといったように第１映像コンテンツごとであっても良い。当該タイミングはローカルサーバ１２で任意に設定可能に形成されている。
【００３１】
図３に示した動画共有アイコン６２を押したとき、モニタ画面１１ａは、図７に示すように、ローカルリストに係る第２映像コンテンツを並べて表示した第２インデックス画面に切り替わる。なお、当該第２インデックス画面に切り替える前に、たとえば、「新作映画」、「映画宣伝番組」、「おもしろ動画」、「音楽」といったようなジャンルごとに大別した画面を表示させるようにしても良い。
図７に示すローカルリストは、動画共有サーバに記録保管されている第２映像コンテンツのうち、ローカルサーバの第２リスト修正手段で所定のキーワード、本実施例においては「音楽」というキーワードにしたがってまとめられたものを例示する。図７に示した第２映像コンテンツのうち、一の第２映像コンテンツ６２ａを入力手段２６によって選択して決定すると、モニタ画面１１ａは、図８に示すように、一の第２映像コンテンツに係る再生画面に切り替わる。
図８に示す再生画面には、動画共有ウェブサイト１７ｂ上の動画再生プレイヤー６２ｂが埋め込まれている。これに対応するため、再生画面に切り替わったとき、テレビ１１のモニタ画面１１ａ上は、パソコンのモニタ画面１１ａと同様に、カーソルが表示されるように形成されている。そして、当該カーソルを入力手段２６で操作して再生ボタン６２ｃ上に移動させ、当該再生ボタン上で入力手段２６からクリック操作すると、選択した第２映像コンテンツの再生表示が始まるように形成されている。
再生表示を求めるクリック操作を行ったとき、テレビ１１から、ローカルサーバ１２及びインターネット１６を介して動画共有サーバ１７に対して配信要求が送信される。
動画共有サーバ１７は、当該配信要求に応じて、再生画面上で指定された所定の第２映像コンテンツをローカルサーバ１２に対して配信し、当該ローカルサーバ１２は、ＬＡＮ１３を介して配信要求を行った所定のテレビ１１へ当該第２映像コンテンツを配信するように形成されている。
これによって、テレビ１１から動画共有サーバ１７へアクセスして所定の第２映像コンテンツを視聴することができる。
【００３２】
本実施例のテレビ１１のリスト表示手段２５によれば、図３に示すように、配信されたローカルリストへのリンクとなる動画共有アイコン６２を、モニタ画面１１ａ上に第１リストへのリンクとなる自由アイコン６０及び制限アイコン６１と並べて表示するようにした。これによって、第１リスト又はローカルリストへのアクセスを同じ入力操作で行うことができる。そのため、第１リストから第１映像コンテンツを選択するのと同じ感覚で第２映像コンテンツを選択することができるので、テレビ視聴システム１０におけるテレビ１１の使い勝手を良くすることができる。
さらに、第２リスト修正手段２２に登録するキーワードを、たとえば日本語以外の外国語によるキーワードに設定することによって、第２リスト取得手段２１では当該外国語に基づく第２映像コンテンツに係る第２リストを取得することができ、それに合わせて第２リスト修正手段２２で当該外国語によるローカルリストを作成することができる。これによって、リスト表示手段２５では、モニタ画面１１ａに当該外国語によるローカルリストを表示させることができるので、たとえば、ホテル・旅館で外国人宿泊客がいる場合、ローカルサーバ１２側で第２リスト取得手段２１と第２リスト修正手段２２の設定を変更するだけで、外国語に容易に対応させることができるので、テレビ視聴システム１０の使い勝手を良くすることができる。
【００３３】
また、動画共有サーバ１７に記録保管されている第２映像コンテンツにも、動画共有サーバ１７側で視聴制限がかけられているものがある。
従来、当該第２映像コンテンツに係る視聴制限を解除するためには、動画共有サーバ１７上でユーザ名とパスワードからなるアカウントを作成し、さらにたとえば成人であると登録しなければならない。このように、動画共有サーバ１７に記録保管されている、たとえば、成人指定の第２映像コンテンツを視聴するためには手間がかかる。当該アカウントの作成・登録は、特にホテル・旅館といった滞在時間が比較的短期間な施設において、宿泊客であるテレビユーザの手間や負担が大きい。
そのため、本実施例では、ローカルサーバ１２において、視聴制限がかけられた第２映像コンテンツに係る第２リストを第２リスト取得手段２１で取得した場合に、第２リスト修正手段２２が所定のキーワード、たとえば「アダルト」、「Ｒ−１８」といったようなキーワードにしたがって第２映像コンテンツを分類して、視聴制限がかけられた第２映像コンテンツに係る制限ローカルリストを作成する。
当該ローカル制限リストは、図３で示した動画共有アイコン６２を押したとき、図７に示した第２インデックス画面では表示されないように形成されている。
これによって、たとえば、１８歳未満のテレビユーザが成人指定された第２映像コンテンツを誤って視聴してしまうことを防止することができる。
【００３４】
テレビユーザが、ローカル制限リストに係る第２映像コンテンツの視聴を所望する場合は、上記の制限アイコン６１を押して、テレビユーザが所定の条件を満たしていることを認証させる処理を行うように形成されている。認証手段２４を経て１８歳以上であることが認証された場合、図６で示すステップ１２０の処理が行われた際に、成人指定の第１映像コンテンツに係る第１リストが表示される画面の一角に、動画共有アイコン６２と類似するデザインであるもののローカル制限リストにリンク可能な動画共有アイコン６２Ａが表示される（図示略）。認証を行ったテレビユーザは、当該動画共有アイコン６２Ａを押すことによって、成人指定の第２映像コンテンツに係るローカル制限リストを閲覧することができる。当該ローカル制限リストから一の成人指定された第２映像コンテンツを選択したとき、テレビ１１は、動画共有サーバ１７から配信された当該第２映像コンテンツを再生表示することができる。
このように、制限アイコン６１に係る認証処理を済ますことによって、動画共有サーバ１７に係る動画共有ウェブサイト１７ｂへのアカウント登録及び成人登録を省くことができる。加えて、一度認証手段２４を起動して視聴制限がかけられた第１映像コンテンツの当該視聴制限を解除してしまえば、同じ画面上でローカル制限リストへ容易にアクセスすることができる。そのため、テレビ視聴システム１０におけるテレビ１１の使い勝手を良くすることができる。
【００３５】
ここで、上記した入力手段２６のリモコン５０は、たとえば、図９に示すように、一般入力部５１、並びに第１入力部５２及び第２入力部５３を有している。
一般入力部５１は、電源ボタン５１ａ、ショートカット機能がそれぞれ割り当てられた複数個のボタンからなるショートカットボタン群５１ｂ、テレビ１１の音声のボリュームを調整可能な音声ボリュームボタン５１ｃ、通常のテレビ放送のチャンネルを順送り又は逆送りに順次切り替えるチャンネル選択用ボタン５１ｄ、矢印キーボタン５１ｅ、決定ボタン５１ｆ、テンキー５１ｇ、その他操作ボタンからなる。これらの各ボタンは、従来のテレビ放送におけるチャンネルの選択、テレビ音声の調整、テレビの設定といった操作に用いられるものであるので説明を省略する。
【００３６】
第１入力部５２は、再生／一時停止ボタン５２ａ、停止ボタン５２ｂ、早送りボタン５２ｃ、巻戻しボタン５２ｄ及び「戻る」ボタン５２ｅを有している。第１入力部５２は、第１映像コンテンツの再生表示に係る入力操作に関する機能が割り当てられている。そのため、テレビユーザが第１映像コンテンツの視聴を所望する場合、当初は、一般入力部５１の矢印キーボタン５１ｅと決定ボタン５１ｆを使って、図３に示すメニュー画面から図４に示す第１リストを表示させた後、視聴を所望する第１映像コンテンツに係るアイコンを押して、図５に示す画面を表示させる。そして、当該第１映像コンテンツを再生表示する場合になってはじめて、第１入力部５２の再生／一時停止ボタン５２ａが使用される。当該再生／一時停止ボタン５２ａを押したとき、第１映像コンテンツの再生表示が開始される。その後は、再生／一時停止ボタン５２ａ、停止ボタン５２ｂ、早送りボタン５２ｃ、巻戻しボタン５２ｄを使って第１映像コンテンツの再生表示を操作することができる。
一方、「戻る」ボタン５２ｅを押したときは、図５から図４の第１リストに係る選択画面に戻るように形成されている。
【００３７】
第２入力部５３は、上下左右の矢印マークが付された各方向ボタン５３ａと、クリックボタン５３ｂを有している。第２入力部５３は、第２映像コンテンツの再生表示に係る入力操作に関する機能が割り当てられており、図８に示す第２映像コンテンツの再生画面になった時に使用するように形成されている。
ここで、テレビ１１の入力手段２６は、第２映像コンテンツの再生表示に関して、カーソル移動入力手段２７と、クリック入力手段２８を有している。
カーソル移動入力手段２７は、テレビ１１のモニタ画面１１ａ上の現在位置を示すカーソル（図示略）を、当該モニタ画面１１ａ上の任意の位置又は方向へ相対的に移動させるように形成されている。カーソル移動入力手段２７のカーソルを任意の方向へ移動させる機能は、第２入力部５３の各方向ボタン５３ａに割り当てられている。そのため、テレビユーザが各方向ボタン５３ａを任意の時間押下することによって、カーソルをモニタ画面１１ａ上の任意の位置へ移動させることができる。
クリック入力手段２８は、テレビユーザがカーソル移動入力手段２７で任意の位置へ移動させたカーソルを当該位置で停止させたとき、クリック入力をするように形成されている。クリック入力手段２８に係るダブルクリック機能は、クリックボタン５３ｂを２回押下することによって実行されるように割り当てられている。また好ましくは、クリックボタン５３ｂを長押しすることによって、右クリック機能に係るコンテキストメニューが展開するようにしても良い。
このように、一のリモコン５０に第１入力部５２と第２入力部５３を設けたことによって、一のリモコン５０で第１映像コンテンツの再生表示に係る入力操作と、第２映像コンテンツの再生表示に係る入力操作とを行うことができるので、たとえば、ベッドに寝転びながら操作をする場合に、第１映像コンテンツの再生操作にしろ、第２映像コンテンツの再生操作にしろ容易に行うことができるので、テレビ視聴システム１０におけるテレビ１１の使い勝手を良くすることができる。
【００３８】
図１０は、リモコン５０の他の実施例を示したものである。
リモコン５０Ａは、一般入力部５１と、第２映像コンテンツに係る入力操作を行う第２入力部５３Ａを有している。一般入力部５１についてはリモコン５０と同様であるから説明を省略する。
第２入力部５３Ａは、レバー７０と、クリックボタン７１ａ，７１ｂを有している。
レバー７０は、カーソル移動入力手段２７に係るカーソルを任意の方向へ移動させる機能が割り当てられている。レバー７０を倒した方向に応じて、テレビ１１のモニタ画面１１ａ上のカーソルが移動するように形成されている。また、レバー７０を傾倒させる度合い、時間に応じてカーソルの移動速度が変化するようにしても良い。
クリックボタン７１ａは、クリック入力手段２８に係る左クリック機能が割り当てられている。そのため、クリックボタン７１ａをダブルクリックすることによって、通常のマウスのダブルクリックと同様の指示をテレビ１１へ入力することができる。一方、クリックボタン７１ｂは、右クリック機能が割り当てられている。そのため、クリックボタン７１ｂをクリックすることによって、モニタ画面１１ａ上の所定の位置でコンテキストメニューを展開させることができる。
なお、本実施例では、クリックボタン７１ａ，７１ｂを二つ並べたが、一のクリックボタンにしても良く、また、クリックボタン７１ａ，７１ｂではなく、レバー７０を押下可能に形成してもよい。この場合は、レバー７０をリモコン本体に向かって押し込むことによってクリック入力することができる。
また、第２入力部５３Ａに第１入力部５２の機能を割り当てるようにしても良い。この場合は、たとえば、レバー７０で第１映像コンテンツの早送り又は巻戻しを操作し、クリックボタン７１ａで第１映像コンテンツの再生又は一時停止を操作し、クリックボタン７１ｂで第１映像コンテンツの停止を操作するといったように機能を割り当てることができる。
【００３９】
本実施例に係るリモコン５０Ａによれば、リモコン５０の効果と同様に一のリモコンで第１映像コンテンツに係る入力操作と第２映像コンテンツに係る入力操作を行うことができることに加え、たとえば、テレビユーザは、親指だけでレバー７０を操作し、クリックボタン７１ａ，７１ｂを押すといったように片手で操作することができるので、ベッドに寝転がったままなり、ソファーに深く腰を掛けたままといったようなリラックスした姿勢で映像コンテンツの視聴を楽しむことができる。
【００４０】
図１１は、リモコン５０，５０Ａの他の実施例を示したものである。
リモコン５０Ｂは、一般入力部５１と、第２映像コンテンツに係る入力操作を行う第２入力部５３Ｂを有している。一般入力部５１についてはリモコン５０と同様であるから説明を省略する。
第２入力部５３Ｂは、タッチセンサ（図示略）を備えたタッチパッド７２を有している。
タッチパッド７２は、タッチセンサによって、テレビユーザの指又はスタイラスペンの接触を感知するように形成されている。このとき、指又はスタイラスペンを接触させたまま、任意の方向へ移動させる、いわゆるスワイプ入力を行うと、当該スワイプ入力に応じて、カーソル移動入力手段２７がテレビ１１のモニタ画面１１ａ上のカーソルを相対的に移動させるように形成されている。また、指又はスタイラスペンでタッチパッド７２を軽く叩く、いわゆるタップ入力を行うと、当該タップ入力の回数に応じてクリック入力手段２８がダブルクリック入力等を行うことができ、またタッチパッド７２の所定の位置を長押しすると、クリック入力手段２８が右クリック入力を行うことができ、モニタ画面１１ａ上にコンテキストメニューを展開させることができる。
また、タッチパッド７２を液晶表示可能なタッチパネルとしても良い。この場合には、モニタ画面１１ａ上のカーソルを移動させる方向を示す矢印、又はクリックする位置を当該タッチパネル上に表示させることで、より一層操作を容易にすることができる。
さらに、タッチパッド７２に第１入力部５２に係る機能を割り当てるようにしても良い。この場合は、たとえば、右方向又は左方向へスワイプ入力をしたとき第１映像コンテンツの早送り又は巻戻しを操作し、タップ入力をしたとき第１映像コンテンツの再生又は一時停止を操作し、タッチパッド７２を長押ししたとき第１映像コンテンツの停止を操作するといったように機能を割り当てることができる。
【００４１】
本実施例に係るリモコン５０Ｂによれば、リモコン５０の効果と同様に一のリモコンで第１映像コンテンツに係る入力操作と第２映像コンテンツに係る入力操作を行うことができることに加え、たとえば、テレビユーザは、親指だけでタッチパッド７２に触れて、親指でスワイプ入力したり又はタップ入力したりと片手で操作することができるので、ベッドに寝転がったままなり、ソファーに深く腰を掛けたままといったようなリラックスした姿勢で映像コンテンツの視聴を楽しむことができる。
【００４２】
図１２は、リモコン５０，５０Ａ，５０Ｂの他の実施例を示したものである。
リモコン５０Ｃは、一般入力部５１と、第２映像コンテンツに係る入力操作を行う第２入力部５３Ｃを有している。一般入力部５１についてはリモコン５０と同様であるから説明を省略する。
第２入力部５３Ｃは、環状に形成されたホイール７３と、当該ホイール７３の中央に配されたクリックボタン７４を有している。
ホイール７３は、その周縁部が浮くように形成されており、当該周縁部を押すことで、当該ホイール７３を傾けることができるように形成されている。これによって、ホイール７３を所定の方向へ傾けると、それに応じてカーソル移動入力手段２７がテレビ１１のモニタ画面１１ａ上のカーソルを相対的に移動させることができる。また、ホイール７３は、正逆方向に回動可能に形成されている。これによって、第２映像コンテンツを再生表示しているとき、ホイール７３を正方向に回動させると早送りを行うことができ、逆方向に回動させると巻き戻すことができる。
クリックボタン７４は、押下したとき、その回数に応じてクリック入力手段２８がダブルクリック入力等を行うことができ、またタッチパッド７２の所定の位置を長押しすると、クリック入力手段２８が右クリック入力を行うことができ、モニタ画面１１ａ上にコンテキストメニューを展開させることができる。
また、ホイール７３とクリックボタン７４に第１入力部５２に係る機能を割り当てるようにしても良い。この場合は、たとえば、正方向又は逆方向へホイール７３を回動したとき第１映像コンテンツの早送り又は巻戻しを操作し、クリックボタン７４を押下したとき第１映像コンテンツの再生又は一時停止を操作し、クリックボタン７４を長押ししたとき第１映像コンテンツの停止を操作するといったように機能を割り当てることができる。
【００４３】
本実施例に係るリモコン５０Ｃによれば、リモコン５０の効果と同様に一のリモコンで第１映像コンテンツに係る入力操作と第２映像コンテンツに係る入力操作を行うことができることに加え、たとえば、テレビユーザは、親指だけでホイール７３の縁部、又はクリックボタン７４に触れて、親指でホイールを７３を回動させ、又は傾けたり、或いはクリックボタン７４を押したりと片手で操作することができるので、ベッドに寝転がったままなり、ソファーに深く腰を掛けたままといったようなリラックスした姿勢で映像コンテンツの視聴を楽しむことができる。
【００４４】
本実施例に係るテレビ視聴システム１０によれば、テレビ１１から動画共有サーバ１７及び動画共有ウェブサイト１７ｂへ直接アクセスするのではなく、ローカルサーバ１２を介してアクセスするようにした。そして、当該ローカルサーバ１２では、予め設定したキーワードによって動画共有サーバ１７内に玉石混交状態で記録保管されている大量の第２映像コンテンツと、それに関する第２リストをふるいにかけて、ジャンルごと、カテゴリごとに分類したローカルリストを作成するようにした。
これによって、テレビユーザが視聴を所望している第２映像コンテンツへ、当該テレビユーザを容易に誘導することができる。またローカルリストでジャンルごと、カテゴリごとに分類していることから、テレビユーザは、興味のある分野を検索して視聴を所望する第２映像コンテンツを自ら探すといった手間をかけることなく、既に同一の傾向で絞り込まれてまとめられた第２映像コンテンツに係るローカルリストを参照するだけで好みの第２映像コンテンツを視聴することができる。
【００４５】
そして、本実施例に係るテレビ視聴システム１０によれば、テレビ１１とローカルサーバ１２間で双方向通信可能にすると共に、テレビ１１へ配信する第１映像コンテンツと第２映像コンテンツを、ローカルサーバ１２で集中的に管理可能にした。これにより、たとえば年齢制限がかけられている成人指定の映像コンテンツについて、特定のテレビ１１からは認証手段２４へアクセスできないようにローカルサーバ１２側で設定することができる。また、ローカルサーバ１２からテレビ１１へ非常に機密性の高い第１映像コンテンツを配信するとき、特定のテレビ１１のみが認証手段２４を介してアクセスできるようにすることもできる。
【符号の説明】
【００４６】
１０…テレビ視聴システム、１１…テレビ、１２…ローカルサーバ、１３…ローカルネットワーク（ＬＡＮ）、１４…映像サーバ、１６…インターネット、１７…動画共有サーバ、
５０…テレビ用リモコン。
【図１】
0006628394.tif 000002
【図２】
0006628394.tif 000003
【図３】
0006628394.tif 000004
【図４】
0006628394.tif 000005
【図５】
0006628394.tif 000006
【図６】
0006628394.tif 000007
【図７】
0006628394.tif 000008
【図８】
0006628394.tif 000009
【図９】
0006628394.tif 000010
【図１０】
0006628394.tif 000011
【図１１】
0006628394.tif 000012
【図１２】
0006628394.tif 000013